(57)【要約】      （修正有）【課題】遠隔地より防犯器具の情報を確認でき、且つ防犯器具の制御を行うことができる防犯システムを提供する。【解決手段】物体検出センサと、防犯カメラと、スピーカーと、これらを制御する制御装置と、各制御装置と通信するための中継用スマートフォン２６と、中継用スマートフォンと通信するための管理用スマートフォン２８とを備え、中継用スマートフォンを、センサ出力受信手段、防犯カメラ映像受信手段、音声信号を出力するためのスピーカー駆動出力手段として機能させ、管理用スマートフォンを、不審者の存在の有無を判断する受信情報判断手段、受信情報判断手段に基づいて防犯カメラを駆動するための駆動信号を防犯カメラ制御装置に出力する録画駆動発信手段として機能させ、管理用スマートフォンから中継用スマートフォンを介して各制御装置を制御できるようにした。【選択図】図１
0003228938.tif 000002
【実用新案登録請求の範囲】
【請求項１】
不審者の存在を感知するための物体検出センサと、不審者を撮影するための防犯カメラと、不審者に対して警告するためのスピーカーと、前記物体検出センサを制御する制御装置と、前記防犯カメラを制御する制御装置と、前記スピーカーを制御する制御装置と、各制御装置と通信するための中継用スマートフォンと、前記中継用スマートフォンと通信するための管理用スマートフォンとを備え、前記中継用スマートフォンと管理用スマートフォンに防犯プログラムをインストールし、該防犯プログラムが、
前記中継用スマートフォンを、
前記物体検出センサの検知信号を受信するセンサ出力受信手段、
前記防犯カメラの映像情報を受信する防犯カメラ映像受信手段、
前記スピーカーに供給するための音声信号を出力するためのスピーカー駆動出力手段
として機能させ、
前記管理用スマートフォンを、
前記中継用スマートフォンから前記物体検出センサと防犯カメラの情報を受信し、これらの情報に基づいて不審者の存在の有無を判断する受信情報判断手段、
前記受信情報判断手段に基づいて前記防犯カメラを駆動するための駆動信号を防犯カメラ制御装置に出力する録画駆動発信手段
として機能させ、
前記管理用スマートフォンから中継用スマートフォンを介して各制御装置を制御できるようにし、前記管理用スマートフォンに、外部機器通信部を介して、外部記憶装置を電気的に接続し、外部記憶装置のメモリに中継用スマートフォンからの情報を記録できるようにしたことを特徴とするスマートフォンを用いた防犯システム。
【請求項２】
前記管理用スマートフォンを受信情報の判断に基づいて１１０番通報手段として機能させたことを特徴とする請求項１に記載のスマートフォンを用いた防犯システム。
【請求項３】
防犯器具として自動車のドアの把手に対する不審者の接触を感知するためのドア把手タッチセンサと、該ドア把手タッチセンサを制御する制御装置を設け、前記中継用スマートフォンを前記ドアタッチセンサの検知信号を受信するセンサ出力受信手段として機能させたことを特徴とする請求項１に記載のスマートフォンを用いた防犯システム。
【請求項４】
自動車に装置されたドライブレコーダーの制御装置を中継用スマートフォンにコードレスで接続し、ドライブレコーダーの情報を管理用スマートフォンに記録できるようにしたことを特徴とする請求項１に記載のスマートフォンを用いた防犯システム。
【請求項５】
自動車に装置されたカーナビの制御装置を中継用スマートフォンにコードレスで接続し、カーナビの情報を管理用スマートフォンに表示できるようしたことを特徴とする請求項１に記載のスマートフォンを用いた防犯システム。
【考案の詳細な説明】
【技術分野】
【０００１】
本考案は、スマートフォンを用いた防犯システムに関する。
【背景技術】
【０００２】
近年、防犯意識が高まりつつある中、民間施設で監視カメラを用いた防犯システムを設置することが一般的となっている。
また、スマートフォン等の携帯端末を監視カメラとして安定的に利用することができる監視用携帯端末及びこれを用いた防犯システムが知られている（特許文献１参照）。
【先行技術文献】
【特許文献】
【０００３】
【特許文献１】特開２０１９−１５４０１３号公報
【考案の概要】
【考案が解決しようとする課題】
【０００４】
従来の監視カメラを用いた防犯システムでは、監視カメラ等の防犯器具の情報をスマートフォンで遠隔操作できず不便であった。
また、スマートフォンを監視カメラとして利用する防犯システムでは、スマートフォンの設置場所を不審者に容易に発見されてしまい、取り外されてしまうという問題点がある。
本考案は上記問題点を解決することを目的とするものである。
【課題を解決するための手段】
【０００５】
上記目的を達成するため、本考案は、不審者の存在を感知するための物体検出センサと、不審者を撮影するための防犯カメラと、不審者に対して警告するためのスピーカーと、前記物体検出センサを制御する制御装置と、前記防犯カメラを制御する制御装置と、前記スピーカーを制御する制御装置と、前記各制御装置と通信するための中継用スマートフォンと、前記中継用スマートフォンと通信するための管理用スマートフォンとを備え、前記中継用スマートフォンと管理用スマートフォンに防犯プログラムをインストールし、該防犯プログラムが、
前記中継用スマートフォンを、
前記物体検出センサの検知信号を受信するセンサ出力受信手段、
前記防犯カメラの映像情報を受信する防犯カメラ映像受信手段、
前記スピーカーに供給するための音声信号を出力するためのスピーカー駆動出力手段
として機能させ、
前記管理用スマートフォンを、
前記中継用スマートフォンから前記物体検出センサと防犯カメラの情報を受信し、これらの情報に基づいて不審者の存在の有無を判断する受信情報判断手段、
前記受信情報判断手段に基づいて前記防犯カメラを駆動するための駆動信号を防犯カメラ制御装置に出力する録画駆動発信手段
として機能させ、
前記管理用スマートフォンから中継用スマートフォンを介して前記各制御装置を制御できるようにし、前記管理用スマートフォンに、外部機器通信部を介して、ＩＣカード記録器などの外部記憶装置を電気的に接続し、ＩＣカードなどのメモリに中継用スマートフォンからの情報を記録できるようにしたことたことを特徴とする。
また本考案は、前記管理用スマートフォンを受信情報の判断に基づいて１１０番通報手段として機能させたことを特徴とする。
また本考案は、防犯器具として自動車のドアの把手に対する不審者の接触を感知するためのドア把手タッチセンサと、該ドア把手タッチセンサを制御する制御装置を設け、前記中継用スマートフォンを前記ドアタッチセンサの検知信号を受信するセンサ出力受信手段として機能させたことを特徴とする。
また本考案は、自動車に装置されたドライブレコーダーの制御装置を中継用スマートフォンにコードレスで接続し、ドライブレコーダーの情報を管理用スマートフォンに記録できるようにしたことを特徴とする。
また本考案は、自動車に装置されたカーナビの制御装置を中継用スマートフォンにコードレスで接続し、カーナビの情報を管理用スマートフォンに表示できるようしたことを特徴とするものである。
【考案の効果】
【０００６】
本考案は上述の如く構成したので中継用のスマートフォンは、防犯器具とはコードレスなので防犯器具を設置する場所の、不審者が見つけにくい任意の箇所に隠して配置することができる。また防犯管理者が遠隔地から容易に管理用スマートフォンを用いて防犯器具の制御と情報の取得を行うことができる。
【図面の簡単な説明】
【０００７】
【図１】本考案の全体説明図である。
【図２】本システムの防犯プログラムのブロック説明図である。
【図３】本システムの防犯プログラムのブロック説明図である。
【考案を実施するための形態】
【０００８】
以下に本考案の構成を添付した図面を参照して詳細に説明する。
図１は、本システムの全体説明図を示している。
本システムは、物体検出センサ２、防犯カメラ４、スピーカー６を備え、これら防犯器具は、自宅、別荘、店舗、倉庫、会社、事務所、クルーザー船舶内の適所に装備される。また、物体検出センサ２は、建物のドアの把手や窓等に配置されるとともに、貴重品の盗難防止にも使用され、貴重品の、人の手の触れやすい場所に装備される。物体検出センサ２は、タッチセンサの他に、レーザー光と受光素子を用いた光学センサを用いてもよい。これらの防犯器具は市販の電子製品を用いても良く、また本システム用に設計し製造しても良い。
【０００９】
自動車のドア把手タッチセンサ８、ドライブレコーダー１０、カーナビ１２は、予め自家用車に装備されている。上記物体検出センサ２、防犯カメラ４、スピーカー６、自動車のドア把手タッチセンサ８、ドライブレコーダー１０、カーナビ１２には、それぞれ制御装置１４，１６，１８，２０，２２，２４が電気的に接続されている。各制御装置にはスマートフォンなどの外部機器と無線で通信するための通信インターフェースが設けられている。制御装置１４は通信エリア内からのＯＮ、ＯＦＦ制御信号を受信し、この信号に基づいて物体検出センサ２をＯＮ、ＯＦＦ制御するとともに物体検出センサ２の物体検出信号を、特定のスマートフォン２６に通信インターフェースを介して無線で送信する機能を有している。
【００１０】
制御装置１６は、通信エリア内からのＯＮ、ＯＦＦ制御信号を通信インターフェースを介して、受信し、この信号に基づいて防犯カメラ４をオンオフ制御するとともに、防犯カメラ４の映像信号を通信インターフェースを介して特定のスマートフォン２６に無線で送信する機能を有している。制御装置１８は、通信エリア内からの音声電子信号を通信インターフェースを介して受信し、スピーカー６を駆動する機能を有している。制御装置２０は、自動車のドア把手のタッチセンサ８の検出した物体検出信号を通信エリア内の特定の通信機に通信インターフェースを介して無線で送信する機能を有している。制御装置２２は、自動車に装備されたドライブレコーダー１０の記録信号を通信インターフェースを介して無線で通信エリア内の特定の通信機に送信する機能を有している。制御装置２４は、自動車に装備されたカーナビ１２の地図情報を通信インターフェースを介して無線で通信エリア内の特定の通信機に送信する機能を有している。
【００１１】
本システムにおいて、通信インターフェースを備えたスマートフォン２６，２８は２台用いられる。１台目のスマートフォン２６は中継用であり、上記各制御装置１４，１６，１８，２０，２２，２４の近傍に位置して屋内や車内に配置される。他の２台目のスマートフォン２８は、管理用であり、システム管理者が所持する。
各スマートフォン２６，２８には、第１の防犯プログラム３０と、第２の防犯プログラム３２がアプリケーションとしてインストールされている。制御装置１４〜２４の各通信インターフェース、中継用スマートフォン２６、管理用スマートフォン２８の各通信インターフェースは、第４世代移動通信ネットワーク４Ｇ等のキャリアネットワーク規格と、Ｗｉ−Ｆｉ（登録商標）等の無線ＬＡＮ規格に対応しており、いずれかの通信ネットワークを介して制御装置１４〜２４の各通信インターフェースは、中継用スマートフォン２６に接続し、中継用スマートフォン２６の通信インターフェースは、管理用スマートフォン２８に接続している。管理用スマートフォン２８には、外部記憶装置としてＩＣカード記録器４８がコードレスで電気的に接続している。外部記憶装置は、ＩＣカード記録器に特に限定されるものではなく、ハードディスク装置等を用いてもよい。
【００１２】
次に、図２を参照して防犯プログラム１について説明する。
プログラム３０の外部機器通信部３４は、中継用スマートフォン２６と、物体検出センサ２や防犯カメラ４などの外部機器との間の送受信を可能とする機能を有している。外部機器通信部３４には、通信可能な外部機器を特定するための情報が入力されている。センサ出力受信部３６は、制御装置２からの物体検出信号を受信し、情報処理部３８に送る機能を有している。防犯カメラ映像受信部４０は、制御装置１６からの映像信号を無線で受信し、情報処理部３８に送る機能を有していいる。スピーカー駆動出力部４２は、スピーカー６の制御装置１８に音声駆動信号を出力する機能を有している。
【００１３】
情報処理部３８は、センサ出力受信部３６からの物体検出信号を電子的に処理し、無線通信部４４を介して外部の管理用スマートフォン２８に送信する機能を有している。また情報処理部３８は、防犯カメラ映像受信部４０からの映像信号を電子的に処理し、無線通信部４４を介して外部の管理用スマートフォン２８に送信する機能を有している。また情報処理部３８は、無線通信部４４を通じて送信されたスピーカー駆動信号を受信し、これを電子的に処理してスピーカー駆動出力部４２に送り、スピーカー駆動出力部４２の音声駆動信号を外部機器通信部３４を通じてスピーカー６の制御装置１８に送信する機能を有している。
【００１４】
次に、図３を参照して防犯プログラム２について説明する。
外部機器通信部４６は、ＩＣカード記録器４８に電気的に接続し、ＩＣカードに記録された情報を情報処理部５０に送る機能を有している。ＩＣカードには、中継用スマートフォン２６からの情報が記録される。ＩＣカード記録制御部５２は情報処理部５０を介し、外部機器通信部４６を通じて、ＩＣカード記録器４８に制御信号を送信する機能を有している。受信情報判断部５４は、無線通信部５２を通じて受信した中継用スマートフォン２６からの情報に基づいて、予め定められている防犯行動を選択し、選択した防犯行動情報を情報処理部５０を介してスピーカー駆動発信部５６、１１０番警察発信部５８、録画駆動発信部６０に送信する。
【００１５】
スピーカー駆動発信部５６は、情報処理部５０から送信された情報に基づいて、警報音例えばパトカーサイレン、クラクション、罵声音、警察だ！誰だ！肉声他の信号を無線通信部６２を通じて、中継用スマートフォン２６に送信する機能を有している。１１０番警察発信部５８は、受信情報判断部５４の情報処理部５０を介した情報に基づいて１１０番警察に緊急連絡する機能を有している。録画駆動発信部６０は、防犯カメラ４駆動用の録画駆動信号を情報処理部５０に送る。情報処理部５０は、録画駆動信号を無線通信部６２を通じて中継用スマートフォン２６に送る。中継用スマートフォンに送信された録画駆動信号は、防犯カメラ４の制御装置１６に送られ、防犯カメラ４は録画を開始する。防犯カメラ映像保管部６４は、中継用スマートフォン２６から転送された防犯カメラ４の映像信号を記録保管する機能を有している。
【００１６】
次に、自動車の防犯に本システムを適用した時の本システムの作用について説明する。
犯人がカギを壊し、電子ドアーノブに触れると、自動車の把手タッチセンサ８が働き、タッチ検出信号が中継用スマートフォン２６を通じて管理用スマートフォン２８の受信情報判断部５４に送られる。受信情報判断部５４は、車の盗難が発生したことを判断し、パトカーサイレン音や怒鳴り声の音声を発信し、これらを中継用スマートフォン２６に送って、スピーカー６からこれらの音声を出力する。それでも犯人が車にエンジンをかけ乗り逃げても、カーナビ１２の情報から走行経路と居場所を突き止めることができる。また車内の中継用スマートフォン２６の位置情報で場所の特定ができる。また、防犯カメラ４の映像で犯人の顔が判り逮捕の証拠となる。
【００１７】
次に、自宅に本システムを適用した時の本システムの作用について説明する。
物体検出センサ２、防犯カメラ４、スピーカー６を玄関、居間、寝室の適所に取付、中継用スマートフォン２６を家の中の目立たない適所に配置する。玄関に泥棒が留守かどうかを確認に来た時、物体検出センサ２が人物を感知すると防犯カメラ４とスピーカー６が同時にオンとなり、センサ２の感知信号、防犯カメラ４の映像、スピーカー６のオン信号が中継用スマートフォン２６を通じて管理用スマートフォン２８に送られる。管理者は、警告の音声を発信し、スピーカー６から警告の音声が発信される。それでも鍵を壊し泥棒が居間から寝室に入ったら、玄関と同様の警告が行われるとともに、最後に管理用スマートフォン２８を通じて１１０番警察に緊急連絡が行われる。犯人逮捕の証拠として、犯人の映像が防犯カメラ映像保管部６４に保管され、警察に映像データを提出することで犯人逮捕につながる。
【符号の説明】
【００１８】
２      物体検出センサ
４      防犯カメラ
６      スピーカー
８      ドア把手タッチセンサ
１０    ドライブレコーダー
１２    カーナビ
１４    制御装置
１６    制御装置
１８    制御装置
２０    制御装置
２２    制御装置
２４    制御装置
２６    スマートフォン
２８    スマートフォン
３０    防犯プログラム
３２    防犯プログラム
３４    外部機器通信部
３６    センサ出力受信部
３８    情報処理部
４０    防犯カメラ映像受信部
４２    スピーカー駆動出力部
４４    無線通信部
４６    外部機器通信部
４８    ＩＣカード記録器（外部記憶装置）
５０    情報処理部
５２    ＩＣカード記録制御部
５４    受信情報判断部
５６    スピーカー駆動発信部
５８    １１０番警察発信部
６０    録画駆動発信部
６２    無線通信部
６４    防犯カメラ映像保管部
【図１】
0003228938.tif 000003
【図２】
0003228938.tif 000004
【図３】
0003228938.tif 000005
【手続補正書】
【提出日】令和2年8月17日(2020.8.17)
【手続補正１】
【補正対象書類名】実用新案登録請求の範囲
【補正対象項目名】請求項３
【補正方法】変更
【補正の内容】
【請求項３】
防犯器具として自動車のドアの把手に対する不審者の接触を感知するためのドア把手タッチセンサと、該ドア把手タッチセンサを制御する制御装置を設け、前記中継用スマートフォンを前記ドア把手タッチセンサの検知信号を受信するセンサ出力受信手段として機能させたことを特徴とする請求項１に記載のスマートフォンを用いた防犯システム。